(57)【特許請求の範囲】
【請求項１】
超音波内視鏡の挿通チャンネルに進退自在に挿通され、体腔内組織を針体によって穿刺する超音波用穿刺針において、前記針体の表面に、前記針体の表面の一部である円筒状の突起部とその周囲を切り欠くことにより形成された円環状の溝を有し、この溝は前記針体の軸方向に直交する断面において、前記円筒状の突起部の側面に対応する稜線に対して、鋭角に交差する直線状の稜線により定義される溝であることを特徴とする超音波用穿刺針。
【請求項２】
前記円環状の溝は複数個設けたことを特徴とする請求項１記載の超音波用穿刺針。
【発明の詳細な説明】
【０００１】
【発明の属する技術分野】
本発明は、内視鏡の挿通チャンネルを通じて体腔内に導入して吸引生検や注射等を行うために使用する超音波用穿刺針に関する。
【０００２】
【従来の技術】
従来より、体腔内の患部を検査診断するために、超音波内視鏡により体腔内を観察しながら、穿刺針を用いて胃や十二指腸の消化管壁等より膵臓、肝臓、腎臓等の深部臓器を穿刺針で穿刺して、体腔内組織や体液を採取する方法が行われている。この方法では、穿刺針において超音波が反射されることにより、超音波画像下で穿刺針が映出される。
【０００３】
ところで、穿刺針における超音波の反射をより強いものとするために、以下の先行技術に様々な構成のものが提案されている。実開昭５６−１１３５１０号公報では、内筒針に超音波ビームの反射マークを設けたものが開示され、実開昭６３−１０９１０９号公報では、内針の先端よりの箇所に凹欠部を設け、この凹欠部と、内針の外面に密接する内径を有する外針との間に存在する空気の層により、超音波を有効的に反射できるものが開示されている。
【０００４】
また、ＰＣＴ/ＷＯ８９/１１２５０では、外表面の一部を粗くした外科用手術器具が開示され、ＥＰ０，３８６，９３６では、外表面に球体を埋め込むか、又は、へこみを設けたエコー反射器具が開示されている。
【０００５】
【発明が解決しようとする課題】
（従来技術の欠点）
しかしながら、超音波内視鏡を用いたこのような方法の場合、穿刺針の外径が１ｍｍにも満たないものであるために、この穿刺針による超音波の反射が充分なものではなく（超音波に対する造影性が低く）、超音波画像下に明瞭な穿刺針の画像を映出させることができず、安全かつ確実な穿刺を行うことできなかった。
【０００６】
特に、実開昭５６−１１３５１０号公報及び実開昭６３−１０９１０９号公報のものは、超音波の反射、散乱が弱く超音波画像下での針の位置が明瞭に映出されなかった。また、ＰＣＴ/ＷＯ８９/１１２５０及びＥＰ０，３８６，９３６のものは、穿刺針の断面を示す図６のように、へこみ３５の傾斜が緩やかであるために、超音波振動子３６より出射される超音波３７が散乱し過ぎて、エコー信号として超音波振動子３６に戻ってくる反射が弱く、やはり針の位置が明瞭に映出されなかった。
【０００７】
（発明の目的）
本発明は前記課題に着目してなされたもので、その目的とするところは、超音波画像下で、その位置が明瞭に映出されることにより安全かつ確実な穿刺を行うことができる超音波用穿刺針を提供することにある。
【０００８】
【課題を解決するための手段】
上記課題を解決するために、請求項１の発明は、超音波内視鏡の挿通チャンネルに進退自在に挿通され、体腔内組織を針体によって穿刺する超音波用穿刺針において、前記針体の表面に、前記針体の表面の一部である円筒状の突起部とその周囲を切り欠くことにより形成された円環状の溝を有し、この溝は前記針体の軸方向に直交する断面において、前記円筒状の突起部の側面に対応する稜線に対して、鋭角に交差する直線状の稜線により定義される溝であることを特徴とする。
また、請求項２の発明は、前記請求項１の発明において、溝を複数個設けたことを特徴とする。
【０００９】
【発明の実施の形態】
＜第１の実施形態＞
図１乃至図６を参照して、本発明の第１の実施形態を説明する。
（構成）
図１は本発明の第１実施形態に係る超音波用穿刺針を内視鏡の挿通チャンネルに挿通した状態を示す図、図２は穿刺針先端側の断面図、図３は穿刺針基端側の断面図、図４は穿刺針先端側の一部断面図、図５は図４のＡ−Ａ断面図、図６は従来技術を示す図である。
【００１０】
図１に示すように、超音波用穿刺針１は、内視鏡２の図示しない挿通チャンネルに挿通して使用される。この超音波用穿刺針１の先端側は図２に示すように、可撓性を有する密着巻きコイル４からなるシース３と、このシース３の内部に進退自在に挿通され、可撓性を有する薄肉のステンレス管等からなる先端が鋭利な形状の針体５と、この針体５の内部に挿脱自在で先端が鋭利な形状のスタイレット６により構成される。シース３を構成する密着巻きコイル４は、その端面同士が隙間なく密着しており、また、シース３の先端部はチップ部材７の後端部と密着している。
【００１１】
一方、図３に示すように、穿刺針１の基端側は比較的太い中空部材からなる操作部本体１０により構成され、この操作部本体１０の先端側に設けられた孔部１１にシース３の基端部が嵌合されている。操作部本体１０の内部には内腔を有する通孔１２が設けられており、また、この通孔１２の基端側部分の内周面には、弾性部材からなるＯリング１３を固定するため溝状の固定部１４が設けられている。
【００１２】
針体５の基端部はスライダ１５に接続されており、このスライダ１５を手動操作することにより、針体５を操作部本体１０の長手方向に進退移動させることができる。スライダ１５の外周面には、Ｏリング１３と選択的に嵌合する、それぞれ周回溝からなる凹部１６と凹部１７とが前後に離れて形成されている。そして、前方の凹部１６は、スライダ１５を手元側に引いたときにＯリング１３と嵌合的に係合して、針体５をシース３内に収納させた状態になる位置に形成されている。
後方の凹部１７は、針体５がシース３から最も突き出した状態において、Ｏリング１３と嵌合的に係合する位置に形成されている。つまり、これらの構成により針体５の最大突出量を規制するストッパ手段が形成される。
【００１３】
スライダ１５の内部には針体５の内部と連通する中空孔２０が形成されており、また、スライダ１５の基端部には内面がテーパ状の接続口２１が形成されている。このテーパ状の接続口２１は、つまみ２２に設けられたテーパ状の凸部２３と着脱自在に接続される、また、凸部２３はスタイレット６の基端部と連結されている。つまり、つまみ２２と一体となって、スタイレット６が中空孔２０及び針体５の内部に挿通されることになる。また、接続口２１には図示しない注射筒等が接続可能になっている。
【００１４】
ところで、針体５は超音波を反射することにより超音波画像下に映出されるが、本願発明では、針体５を明瞭に映出させるために、図４に示すように針体５の表面に多数の円環状の溝３０を設けてある。この円環状の溝３０は、針体５の表面の一部である円筒状の突起部３１を残して、その周囲を切り欠いたもので、図５に示すように断面の形状が鋭角となっている。円環状の溝３０の断面形状が鋭角であるために図６に示すようなへこみ３５に比べて、超音波振動子３２より出射される超音波３３がエコー信号として超音波振動子３２に戻りやすくなり、針体５の溝３０の部分が超音波画像下において明瞭に映出される。
【００１５】
（作用）
このように構成された穿刺針１を用いて、体腔内組織等を採取するには、まず、針体５をシース３の内部に引き込んだ状態で、穿刺針１を内視鏡２の図示しない挿通チャンネルに挿通させ、先端側を体腔内へ突出させる。そして、シース３の先端を目的の部位へ近付けたところでスライダ１５を手動操作して押し込む。その際、スライダ１５の後方の凹部１７にＯリング１３が嵌合することで、針体５の突き出し長さが一定量のものとなる。
【００１６】
このとき、針体５の表面には円環状の溝３０が多数設けられているため、針体５の溝３０の部分が超音波画像下において明瞭に映出される。よって、針体５の先端の位置を確認しながら目的部位に到達するまで安全かつ確実に穿刺を行うことができる。針体５が目的位置まで到達したら、つまみ２２と共にスタイレット６を引き抜き、その後、接続口２１に図示しない注射筒等を接続して体腔内組織の吸引を行う。この吸引により針体５内へ体腔内組織が入り込み、深部組織部位の生検が達成される。
【００１７】
（効果）
以上説明したように、本実施の形態によれば、針体５の表面に断面形状が鋭角である多数の円環状の溝３０を設けたので、超音波振動子３２より出射される超音波３３がエコー信号として超音波振動子３３に戻りやすくなり、針体５が超音波画像下において明瞭に映出され、安全かつ確実な穿刺を行うことができる。
【００１８】
＜付記項＞
１．超音波内視鏡の挿通チャンネルに進退自在に挿通され、体腔内組織を針体によって穿刺する超音波用穿刺針において、
前記針体の表面に、円環状の溝を複数個設けたことを特徴とする超音波用穿刺針。
【００１９】
２．前記円環状の溝は、前記針体の表面の一部を残し、その周囲を切り欠くことにより形成されたことを特徴とする付記項１に記載の超音波用穿刺針。
【００２０】
３．前記円環状の溝は、その断面形状が鋭角であることを特徴とする超音波用穿刺針。
【００２１】
【発明の効果】
以上説明したように本発明によれば、針体５の表面に断面形状が鋭角である多数の円環状の溝３０を設けたので、針体５が超音波画像下において明瞭に映出され、安全かつ確実な穿刺を行うことができる。
【図面の簡単な説明】
【図１】本発明の第１実施形態に係る超音波用穿刺針を内視鏡の挿通チャンネルに挿通した状態を示す図
【図２】穿刺針先端側の断面図
【図３】穿刺針基端側の断面図
【図４】穿刺針先端側の一部断面図
【図５】図４のＡ−Ａ断面図
【図６】従来技術を示す図
【符号の説明】
１    内視鏡用穿刺針
５    針体
３０    円環状の溝
３１    突起部
３２    超音波振動子
３３    超音波
【図１】
0003904299.tif 000002
【図２】
0003904299.tif 000003
【図３】
0003904299.tif 000004
【図４】
0003904299.tif 000005
【図５】
0003904299.tif 000006
【図６】
0003904299.tif 000007